(57)【要約】【課題】構成規模の拡大を回避して、かつ主画面としてのディスプレイ装置の表示画面の表示内容に影響することなく、別の映像を同時に表示可能とする。【解決手段】リモコン３０には、表示部３５が設けられ、また、ＴＶ受像機１に内部アンテナ１５を、リモコン３０にアンテナ３１を夫々設け、ＴＶ受像機１からリモコン３０への映像情報の送信を可能とする。リモコン３０では、アンテナ３１で受信された映像情報が表示部３５で表示される。ＴＶ受像機１では、外部アンテナ２１によって放送番組を受信でき、記憶部２６に受信番組を蓄積したり、写真データなども蓄積できる。また、ＧＵＩ画像生成部２４ｂでＧＵＩ画像を生成することができる。リモコン３０からの指令により、受信番組や記憶部２６の蓄積データ，ＧＵＩ画像が、映像情報として、内部アンテナ１５からリモコン３０に送信される。【選択図】　　　　図２
2004096361.tif 000002
【特許請求の範囲】
【請求項１】
映像情報を表示する表示手段を備えたディスプレイ装置と該ディスプレイ装置の動作を操作のためのリモートコントローラとからなる映像情報システムにおいて、
該ディスプレイ装置と該リモートコントローラとに、該リモートコントローラから該ディスプレイ装置へ該ディスプレイ装置の操作のための指令信号を送る手段を設けるとともに、該ディスプレイ装置から該リモートコントローラへ映像情報を送信する手段を設け、
かつ、該リモートコントローラに、該ディスプレイ装置からの映像情報を表示する表示手段を設けたことを特徴とする映像情報システム。
【請求項２】
請求項１において、
前記リモートコントローラは、
操作モード切替用の操作ボタンと、
該操作ボタンの操作に応じて、前記ディスプレイ装置の表示手段で表示される映像情報の設定操作を、前記リモートコントローラの表示手段での表示情報をもとに行なうことができるようにした第１の操作モードと前記ディスプレイ装置の表示手段での表示情報をもとに行なうことができるようにした第２の操作モードとを切り替え制御する手段と
を備え、該第１，第２の操作モードのいずれででも、前記ディスプレイ装置の表示手段で表示される映像情報の設定操作を可能としたことを特徴とする映像情報システム。
【請求項３】
請求項１において、
前記リモートコントローラは、
前記リモートコントローラの傾き角度を検出する手段と、
検出された傾き角に応じて、前記ディスプレイ装置の表示手段で表示される映像情報の設定操作を、前記リモートコントローラの表示手段の表示情報をもとに行なうことができるようにした第１の操作モードと前記ディスプレイ装置の表示手段の表示情報をもとに行なうことができるようにした第２の操作モードとを切り替え制御する手段と
を備え、該第１，第２の操作モードのいずれででも、前記ディスプレイ装置の表示手段で表示される映像情報の設定操作を可能としたことを特徴とする映像情報システム。
【請求項４】
請求項１，２または３において、
前記ディスプレイ装置は、放送番組の受信手段を有しており、
前記リモートコントローラからの前記指令信号に基づいて、該受信手段で受信した放送番組を、前記映像情報として、前記リモートコントローラに無線送信することを特徴とする映像情報システム。
【請求項５】
請求項４において、
前記ディスプレイ装置は、受信した放送番組や写真データなどを蓄積データとして記憶する手段を有しており、
前記リモートコントローラからの前記指令信号に基づいて、該蓄積データを、前記映像情報として、前記リモートコントローラに無線送信することを特徴とする映像情報システム。
【請求項６】
記録手段を有する映像情報システムにおいて、
画面上に表示するカレンダから該記録手段に記録したデータを検索することを特徴とする映像情報システム。
【発明の詳細な説明】
【０００１】
【発明の属する技術分野】
本発明は、テレビジョン（ＴＶ）受像機などの映像情報を表示する機能を備えたディスプレイ装置とその操作のためのリモートコントローラ（以下、リモコンという）とからなる映像情報システムとその操作方法に関する。
【０００２】
【従来の技術】
ＴＶ受像機では、通常、リモコンがセットになっており、このリモコンを用いＴＶ受像機の操作ができて、ＴＶ受像機本体に近づかなくとも、その操作ができるようになっている。リモコンからは、その操作ボタンの操作に応じた指令信号が赤外線でＴＶ受像機に送られ、これを受けたＴＶ受像機では、この指令信号に応じてチャンネル切替えや音量調整，受信番組の録画やその再生などの動作が行なわれる。
【０００３】
【発明が解決しようとする課題】
ところで、チャンネル切替えをする場合、リモコンで目的とするチャンネルを指定することにより、直ちにこのチャンネルへの切替えが行なわれる。この場合、チャンネル切替え前にそのチャンネルの番組内容を確認することができれば、好ましいタイミングでチャンネルの切替えを行なうことができる。例えば、ドラマの番組を視聴してときに、別チャンネルの番組で放送されている野球やサッカーなどのスポーツの結果が気になる場合、このドラマの番組が中断している間、チャンネルを切り替えてこの別番組を見るようなこともあるが、この場合、ドラマ番組の再開タイミングを知ることができないため、このドラマの番組のチャンネルに切り替えたときには、この番組は既に再開されて一部見損なうような場合がある。チャンネル切替え前に、目的とするチャンネルの内容が確認できれば、このような問題が生ずることがない。
【０００４】
近年、画面を２画面や他画面に分割して、裏番組を表示してから選局できるものがある。然し、複数の人数で視聴している場合などでは、このような画面にされると、視認中の画面が小さくなり、煩わしいものとなる。
【０００５】
また、最近のＴＶ受像機では、ＧＵＩ（Ｇｒａｐｈｉｃａｌ　Ｕｓｅｒ　Ｉｎｔｅｒｆａｃｅ）としての機能が付加されている。これは、表示画面に情報を表示したり、項目の一覧画面を表示したりして各種の選択操作ができるようにするものであるが、このような画面表示をする場合には、現在視聴している放送番組を中断するか、この番組の画面に重ねて表示するようにするものである。このため、番組の視聴に支障を来すものであるし、少なくとも煩わしいものである。
【０００６】
この問題を解消するためには、リモコンにこのような各種の選択項目に該当する操作ボタン（ダイレクトキー）を設け、画面表示をせずにボタン操作のみによって選択操作を行なうようにすることが考えられるが、このようにすると、リモコンの機能が異常に増大化し、設けられる操作ボタンの個数も膨大なものとなって現実的ではない。
【０００７】
そこで、ＧＵＩ用の画像を表示する別の画面を設けることが考えられるが、ＴＶ受像機などのディスプレイ装置とその操作を行なうためのリモコンからなる映像情報システムにおいて、このように表示画面を備えた別体の装置を付加することは、システムそのものが大型化してその設置空間が広くなるし、コストの面からしても現実的でない。
【０００８】
本発明の目的は、かかる問題を解消し、構成規模の拡大を回避して、かつ主画面としてのディスプレイ装置の表示画面の表示内容に影響することなく、別の映像を表示可能とした映像情報システムを提供することにある。
【０００９】
【課題を解決するための手段】
上記目的を達成するために、本発明は、映像情報を表示する表示手段を備えたディスプレイ装置とこのディスプレイ装置の動作を操作のためのリモートコントローラとからなる映像情報システムであって、ディスプレイ装置とリモートコントローラとに、リモートコントローラからディスプレイ装置へディスプレイ装置の操作のための指令信号を送る手段を設けるとともに、ディスプレイ装置からリモートコントローラへ映像情報を送信する手段を設け、かつ、リモートコントローラに、ディスプレイ装置からの映像情報を表示する表示手段を設けたものである。
【００１０】
そして、リモートコントローラは、操作モード切替用の操作ボタンと、操作ボタンの操作に応じて、ディスプレイ装置の表示手段で表示される映像情報の設定操作を、リモートコントローラの表示手段での表示情報をもとに行なうことができるようにした第１の操作モードとディスプレイ装置の表示手段での表示情報をもとに行なうことができるようにした第２の操作モードとを切り替え制御する手段とを備え、これら第１，第２の操作モードのいずれででも、ディスプレイ装置の表示手段で表示される映像情報の設定操作を可能としたものである。
【００１１】
あるいは、リモートコントローラは、リモートコントローラの傾き角度を検出する手段と、検出された傾き角に応じて、ディスプレイ装置の表示手段で表示される映像情報の設定操作を、リモートコントローラの表示手段の表示情報をもとに行なうことができるようにした第１の操作モードとディスプレイ装置の表示手段の表示情報をもとに行なうことができるようにした第２の操作モードとを切り替え制御する手段とを備え、これら第１，第２の操作モードのいずれででも、ディスプレイ装置の表示手段で表示される映像情報の設定操作を可能としたものである。
【００１２】
また、ディスプレイ装置は、放送番組の受信手段を有しており、リモートコントローラからの指令信号に基づいて、この受信手段で受信した放送番組を、上記の映像情報として、リモートコントローラに無線送信するものである。
【００１３】
また、ディスプレイ装置は、受信した放送番組や写真データなどを蓄積データとして記憶する手段を有しており、リモートコントローラからの指令信号に基づいて、この蓄積データを、上記の映像情報として、リモートコントローラに無線送信するものである。
【００１４】
【発明の実施の形態】
以下、本発明の実施形態を図面を用いて説明する。
図１は本発明による映像情報システムの一実施形態を示す概略構成図であって、１はテレビジョン受像機（ＴＶ受像機）、１０はＰＤＰ（プラズマ・ディスプレイ・パネル）などの表示パネル、２０はＡＶ（オーディオ・ビデオ）センタ、３０はリモートコントローラ（リモコン）、３０ａはリモコン３０の表示画面（以下、リモコン画面という）である。
【００１５】
同図において、この実施形態では、ＴＶ受像機１とその操作のためのリモコン３０とから構成されているものとしている。また、ＴＶ受像機１は、表示パネル１０と、放送番組の受信や表示パネル１０での表示制御などを行なうＡＶセンタ２０とからなり、ここでは、表示パネル１０とＡＶセンタ２０とを別体としているが、これらを一体化したものとしてもよい。
【００１６】
なお、この実施形態では、ディスプレイ装置として、ＴＶ受像機１を用いたものであるが、これのみに限るものではなく、例えば、リモコンで操作を可能としたスクリーンに拡大表示する投写装置やパーソナルコンピュータなどであってもよい。
【００１７】
リモコン３０は、従来のリモコンと同様、ＴＶ受像機１の各操作を行なうものであるが、さらに、ＴＶ受像機１の表示画面（図示せず）を主画面とするのに対し、子画面としての液晶などによるリモコン画面３０ａを備えており、これによって後述する機能を実行することができる。
【００１８】
図２は図１の各部の回路構成の一具体例を示すブロック図であって、１１は表示部、１２は映像生成部、１３は音声出力部、１４は映像送信部、１５は内部アンテナ、１６は赤外線受光部、２１は外部アンテナ、２２は放送電波受信部、２３は制御部、２４ａは映像生成部、２４ｂはＧＵＩ（Ｇｒａｐｈｉｃａｌ　Ｕｓｅｒ　Ｉｎｔｅｒｆａｃｅ）画像生成部、２５は映像合成部、２６は記憶部、３１はアンテナ、３２は映像受信部、３３は赤外線発光部、３４は制御部、３５は表示部、３６は音声出力部、３７はボタンスイッチ、３８は記憶部であり、図１に対応する部分には同一符号を付けている。
【００１９】
同図において、受像機１のひょうじパネル１０では、リモコン３０からの赤外線による指令信号が赤外線受光部１６で受光されて、ＡＶセンタ２０の制御部２３に送られる。制御部２３は、この指令信号に応じて、各部の制御を行なう。
【００２０】
ＡＶセンタ２０において、放送電波受信部２２は、２系統の受信系を備えており、その一方が表示パネル１０の表示部１１や音声出力部１３で表示させるための放送番組を受信処理する主受信系であり、他方がリモコン３０に送信するための放送番組を受信処理する副受信系である。これら主，副受信系が受信動作しているときには、これらの受信に関する情報（ＢＳ，ＣＳ，地上波のいずれの放送形態を受信しているかを表わす情報や受信チャンネルなど）を制御部２３が保持している。例えば、リモコン３０からの上記の指令信号により、リモコン３０から地上波の第１チャンネルを受信し、表示部１１で表示することの指令があると、制御部２３は、この指令に基づいて、放送電波受信部２２での主受信系をこの地上波の第１チャンネルを受信する状態に設定するとともに、主受信系のかかる受信状態を表わす情報を保持する。副受信系についても、同様である。
【００２１】
外部アンテナ２１と放送電波受信部２２の主受信系で受信処理された放送番組信号は、制御部２３の制御のもとに、表示パネル１０に供給され、その映像情報が映像生成部１２で処理されて表示部１１で表示され、また、音声情報が音声出力部１３に供給されて音声出力される。
【００２２】
また、外部アンテナ２１と放送電波受信部２２の副受信部で受信処理された放送番組信号は、制御部２３の制御のもとに、映像生成部２４ａで処理され、映像合成部２５を介し、表示パネル１０での映像送信部１４により、表示パネル１０に設けられた内部アンテナ１５からリモコン３０に送信される。また、リモコン３０からの指令に応じて、制御部２３はＧＵＩ画像生成部２４ｂを動作させてＧＵＩ画像を生成させ、このＧＵＩ画像を、映像合成部２５を介し、映像送信部１４により、内部アンテナ１５からリモコン３０に送信させる。さらに、ＡＶセンタ２０に内蔵される記憶部２６はＶＴＲなどの記録再生装置からなるものであって、放送電波受信部２２の主受信系で受信された放送番組やムービなどで撮影した動画，静止画（写真も含む）情報などのデータが蓄積されるものである。かかる蓄積データは、制御部２３の制御のもとに、読み出されて表示パネル１０で表示され、もしくは、上記の放送番組と同様にして、リモコン３０に送信される。
【００２３】
リモコン３０では、ユーザによるボタンスイッチ３７の操作に応じて、制御部３４が各部の制御を行なう。即ち、ボタンスイッチ３７の操作によってＴＶ受像機１の制御が指令されると、制御部３４は赤外線発光部３３を駆動し、この操作に応じた指令信号を赤外線でＴＶ受像機１に送信する。かかる指令の１つとしては、従来のリモコンと同様、表示パネル１０で表示する放送番組のチャンネル選択や音量調整などに関するものであるが、また、他の指令としては、ＴＶ受像機１の受信放送番組情報やＧＵＩ画像生成部２４ｂで生成されるＧＵＩ画像情報，記憶部２６の蓄積データなどを要求する指令がある。以下、前者の指令を操作指令といい、後者の指令を情報要求指令という。
【００２４】
情報要求指令の場合には、上記のようにして、ＴＶ受信機１の内部アンテナ１５から要求した情報が送信され、これが、リモコン３０において、制御部３４の制御のもとにアンテナ３１と映像受信部３２とで受信・処理される。映像受信部３２で処理された受信情報は、その映像情報が表示部３５に供給されて映像表示され、音声情報が音声出力部３６に供給されて音声出力される。また、かかる受信情報は、必要に応じて記憶部３８に蓄積される。図１に示すリモコン３０のリモコン画面３０ａは、この表示部３５の表示画面である。
【００２５】
図３は図１の各部の回路構成の他の具体例を示すブロック図であって、１７は指令信号取得部、３３’は指令信号付加部であり、図２に対応する部分には同一符号を付けて重複する説明を省略する。
【００２６】
この具体例は、リモコン３０からの指令信号を無線（即ち、電波）で送るものであり、このため、図３において、リモコン３０のアンテナ３１がこの指令信号の送信にも使用され、表示パネル１０に設けられた内部アンテナ１５がこの指令信号の受信にも用いられる。リモコン３０においては、制御部３４で生成された指令信号が指令信号付加部３３’に供給されて搬送波に乗せられ、アンテナ３１からＴＶ受像機１に送信される。ＴＶ受像機１では、この指令信号が内部アンテナ１５で受信され、指令信号取得部１７で取得されて（即ち、映像送信部１４からの送信情報と分離されて）ＡＶセンタ２０の制御部２３に供給される。以上の構成以外の部分については、図２に示す具体例と同様である。
【００２７】
図４は図２及び図３におけるリモコン３０の構造の一具体例を示すものであって、同図（ａ）はその正面図、同図（ｂ）はその右側面図、同図（ｃ）はその縦断面図であり、４０はＴＶ電源ボタン、４１は画面入替えボタン、４２は主画面ボタン、４３は十字ボタン、４４は決定ボタン、４５は子画面ボタン、４６は蓄積データボタン、４７はメニューボタン、４８は戻るボタン、４９は詳細ボタン、５０は音量調整ボタン、５１はチャンネル切替ボタン、５２はテンキー、５３は赤外線発光素子、５４は基板、５５はバッテリであり、図１〜図３に対応する部分には同一符号を付けている。
【００２８】
同図において、リモコン３０のケース表面には、その上側に表示部３５のリモコン画面３０ａが設けられており、このリモコン画面３０ａとケースの表面の上辺との間に、ＴＶ受像機１の電源をオン，オフするＴＶ電源ボタン４０，ＴＶ受像機１の表示部１１で表示される映像とリモコン３０のリモコン画面３０ａで表示される映像とを入れ替えさせるための画面入替えボタン４１（この場合、音声情報も入れ替えられる）及びＴＶ受像機１の表示部１１で表示される映像をリモコン３０のリモコン画面３０ａで表示させるための主画面ボタン４２が横方向に配列されて設けられている。これらボタン４０〜４２は図２，図３でのボタンスイッチ３７に相当する。
【００２９】
また、このリモコン画面３０ａの下側には、決定ボタン４４とその周りに配設された十字ボタン４３とが設けられ、リモコン３０のケース表面の下辺側には、テンキー５２が設けられている。そして、これら十字ボタン４３とテンキー５２との間には、リモコン画面３０ａで表示を行なわせるための子画面ボタン４５やＴＶ受像機１の記憶部２６（図２，図３）の蓄積データを表示させるための蓄積データボタン４６，ＴＶ受像機１のＧＵＩ画像生成部２４ｂ（図２，図３）でメニューを作成させて表示させるためのメニューボタン４７，表示画面を１つ前のものに戻すための戻るボタン４８，受信した放送番組などの詳細情報を表示させるための詳細ボタン４９，音量調整ボタン５０，チャンネル切替ボタン５１などの機能ボタンが設けられている。
【００３０】
また、リモコン３０のケース内には、図４（ｃ）に示すように、このケースの上端部に赤外線発光部３３（図２）の赤外線発光素子５３が設けられており（図３に示す具体例の場合には、この赤外線発光素子５３は設けられない）、また、基板５４ａに上記の各ボタンで動作する回路が、基板５４ｂに制御部３４や映像受信部３２（図２，図３）などのその他の回路が夫々載置されている。そして、これら回路などの電源として、バッテリ５５が収納されている。なお、ここでは、図示しないが、このリモコン３０のケースには、図２，図３に示すアンテナ３１も設けられている。
【００３１】
次に、図４で示す構成のリモコン３０のボタン操作に伴うこの実施形態の動作の一具体例について説明する。
【００３２】
まず、図５及び図６により、ＢＳ（放送衛星），ＣＳ（通信衛星），地上波の番組放送形態の選択操作，チャンネル選択操作とこれに伴う画面表示について説明する。なお、図５及び図６においては、左側にリモコン画面３０ａの表示内容を、右側にＴＶ受信機１の表示画面（以下、ＴＶ画面という）１０ａの表示内容を夫々示しており、横に配列して示す画面３０ａ，１０ａの内容は同時刻のものである。
【００３３】
まず、図５において、リモコン３０のＴＶ電源ボタン４０を操作してＴＶ受像機の電源をオンさせると（リモコン３０のボタンスイッチ３７の操作に伴う信号の流れを先に説明したので、説明した通りであり、ここでは、煩雑になるので、その説明を省略する）、図５（ａ）に示すように、ＴＶ受信機１に電源が投入され、そのＴＶ画面１０ａにそのときの受信放送番組の映像が表示される。このときには、リモコン画面３０ａでは、表示が行なわれない。かかる状態では、リモコン３０での機能ボタン４３〜４９はＴＶ受信機１に対して機能し、従って、例えば、蓄積データボタン４６を操作すると、記憶部２６の蓄積データが順次読み出されてＴＶ画面１０ａに表示されるようになる。なお、音量調整ボタン５０やチャンネル切替ボタン５１はＴＶ受信機１に対して機能するものである。
【００３４】
図５（ａ）に示す状態で子画面ボタン４５を操作すると、図５（ｂ）に示すように、リモコン画面３０ａでも、表示が開始される。但し、この場合には、このリモコン画面３０ａでは、このときＴＶ画面１０ａで表示される映像と同じものである。
【００３５】
また、このリモコン画面３０ａでは、その上辺に沿ってＢＳ，ＣＳ，地上波といった放送形態を選択項目として横方向に配列し、これらのいずれかを十字ボタン４３の「→」ボタン，「←」ボタンで選択できるようにした放送形態選択欄６０が設けられている。現在選択されている放送形態は、枠状のポインタ６２が付されている。また、現在の受信チャンネルを表示するチャンネル表示欄６１がその左辺に沿って設けられている。この受信チャンネルは、この十字ボタン４３の「↑」ボタン，「↓」ボタンで切り替えることができる。ここでは、ＢＳ放送の第１４１チャンネルが受信されていることを示している。
【００３６】
このように、リモコン画面３０ａが機能すると、リモコン３０での機能ボタン４３〜４９はこのリモコン画面３０ａに対して機能することになる。
【００３７】
そこで、いま、図５（ｂ）に示す状態で十字ボタン４３の「↑」ボタンを操作したとすると、図５（ｃ）に示すように、受信放送番組がＢＳ放送の第１４２チャンネルに切り替わる。この受信チャンネルの切り替えは、この操作に伴う操作指令により、ＴＶ受像機１の放送電波受信部２２（図２，図３）の副受信系で行なわれるものであり、主受信系では、受信チャンネルは変更されない。このため、ＴＶ画面１０ａでの表示内容は前と同じままである（即ち、放送形態及びチャンネルに変更がない）。
【００３８】
次に、図５（ｃ）に示す表示状態で十字ボタン４３の「→」ボタンを操作すると、図５（ｄ）に示すように、ポインタ６２が右側に移って選択項目「ＣＳ」に移り、受信放送番組がＣＳ放送の番組となる。このときのチャンネルは、予め決められた初期チャンネル、あるいは、最も近い過去に受信されたＣＳ放送の番組チャンネルに設定される。ここでは、第３１２チャンネルとする。この場合も、ＴＶ画面１０ａでは、放送形態及びチャンネルに変更がない。
【００３９】
このようにして、ＴＶ画面１０ａとは独立に、リモコン画面３０ａで好みの放送番組を選択して表示させることができる。
【００４０】
次に、図５（ｄ）で示す表示状態で決定ボタン４４を操作すると、図６（ａ）に示すように、ＴＶ画面１０ａが、リモコン画面３０ａと同じ放送形態で同じチャンネルの番組の表示状態に切り替わる。この場合には、この決定ボタン４４の操作に伴う操作指令により、制御部２３（図２．図３）がＴＶ受像機１の放送電波受信部２２（図２，図３）の主受信系をその副受信系と同じ受信状態に変更するものである。ここでは、ＣＳ放送の第３１２チャンネルの番組がＴＶ画面１０ａに表示されることになる。
【００４１】
以上のことからして、リモコン画面３０ａでいろいろのチャンネルをモニタし、好ましい内容の放送系のチャンネルが見つかると、これをＴＶ受像機１に通知し、これをＴＶ画面１０ａで視聴することが可能となり、異なる放送形態の番組に切り替えるにしても、ＴＶ画面１０ａで画面を目まぐるしく切り替えて好みの番組を探すようなことをしなくて済むことになる。
【００４２】
次に、図６（ａ）に示す表示状態で、例えば、十字ボタン４３の「↑」ボタンを操作したとすると、図６（ｂ）に示すように、リモコン画面３０ａでの表示番組がＣＳ放送の第３１２チャンネルから第３１３チャンネルに変更されるが、かかる状態で画面入替えボタン４１を操作すると、図６（ｃ）に示すように、表示画面３０ａと表示画面１０ａとで表示番組が入れ替わる。ここでは、ＴＶ受信機１の表示画面１０ａでは、ＣＳ放送の第３１２チャンネルの番組から第３１３チャンネルの番組の表示に切り替わり、リモコン３０のリモコン画面３０ａでは、これとは逆に、ＣＳ放送の第３１３チャンネルの番組から第３１２チャンネルの番組の表示に切り替わる。
【００４３】
これは、この画面入替え４１の操作に伴う操作指令により、制御部２３（図２．図３）がＴＶ受像機１の放送電波受信部２２（図２，図３）の主受信系と副受信系とで受信状態を入れ替えるものである。
【００４４】
かかる機能によると、ＴＶ画面１０ａで視聴していた、例えば、ドラマ番組が途切れたとき、リモコン画面３０ａで表示していた、例えば、スポーツ番組と入れ替えて、このドラマ番組が中断している間、このスポーツ番組を楽しむようにし、リモコン画面３０ａでドラマ番組が再開したことを確認すると、再度ＴＶ画面１０ａとリモコン画面３０ａとの番組を入れ替えて、ＴＶ画面１０ａで再びドラマ番組を視聴するようなことを行なうことができる。従来のＴＶ受像機では、このように番組が中断した場合には、ＴＶ受像機の受信チャンネルを切り替えるだけのものであるから、この番組が再開したことは、ＴＶ受像機の受信チャンネルをもとに戻す操作を行なって表示内容を確認するしかなく、再開したことを正確に知ることができない。また、この番組の中断中、このとき放送されているスポーツの様子を知りたいために、そのスポーツ番組に切り替えるが、この間これまで視聴していた番組の再開タイミングを知ることができず、この番組に切り替えたときには、この番組がある程度経過してしまっている場合もあり、重要な場面を見損なう場合もある。また、主画面を２画面などに分割して表示する方法も存在したが、各画面が小さくなり、また、他の画面が煩わしくなって、とても番組を楽しむ状態ではなかった。この実施形態では、上記のように、ＴＶ画面１０ａとリモコン画面３０ａとの表示番組の入れ替えができるから、このような事態を避けることが可能となる。
【００４５】
次に、図６（ｃ）に示す表示状態で主画面ボタン４２を操作すると、図６（ｄ）に示すように、リモコン画面３０ａでＴＶ画面１０ａの表示番組に切り替えることができる。ここでは、ＴＶ画面１０ａでＣＳ放送の第３１３チャンネルの番組が表示されており、リモコン画面３０ａでは、主画面ボタン４２が操作されると、ＣＳ放送の第３１２チャンネルの番組からＴＶ画面１０ａで表示されるＣＳ放送の第３１３チャンネルの番組に切り替えられることになる。この場合、ＴＶ画面１０ａでの表示番組には変更がなく、ＴＶ画面１０ａとリモコン画面３０ａとが同じ番組を表示することになる。この場合には、この主画面ボタン４２の操作に伴う操作指令により、制御部２３（図２，図３）がＴＶ受像機１の放送電波受信部２２（図２，図３）の副受信系をその主受信系と同じ受信状態に変更するものである。
【００４６】
これによると、リモコン画面３０ａでＴＶ画面１０ａと同じ番組を視聴することができ、例えば、このＴＶ画面１０ａの表示番組を、このＴＶ受像機１が設けられている部屋とは別の部屋で見る必要がある場合、これを利用することができる。
【００４７】
このようにして、子画面であるリモコン画面３０ａの表示をもとに、主画面であるＴＶ画面１０ａの放送形態の切り替えも含めたチャンネル切替えが可能となるし、裏番組やＴＶ画面１０ａと同じ放送番組の視聴が子画面であるリモコン画面３０ａで視聴することを可能とする操作モードを採ることができる。
【００４８】
なお、ここでは、一連の操作の流れで図６（ａ），（ｃ），（ｄ）の状態が順次とられるものとして説明したが、勿論、これら状態は適宜設定することができるものであり、例えば、図５（ｄ）に示す状態で決定ボタン４４を操作すると、図６（ａ）に示す状態となるが、同じ図５（ｄ）に示す状態で画面入れ替えボタン４１を操作すると、図６（ｃ）で説明した画面の入れ替えが行なわれ、主画面ボタン４２を操作すると、図６（ｃ）で説明したリモコン画面３０ａでのＴＶ画面１０ａの表示画面への切り替えが行なわれることになる。
【００４９】
次に、図７及び図８により、機能選択操作とこれに伴う画面表示について説明する。
【００５０】
いま、ＴＶ画面１０ａとリモコン画面３０ａとで同じ番組が表示されている図６（ｄ）に示す状態で詳細ボタン４９を操作すると、図７（ａ）に示すように、リモコン画面３０ａにここで表示されている番組の詳細情報６３が表示される。かかる詳細情報６３は、ＴＶ受像機１での放送電波受信部２２での副受信系による番組受信とともに、この番組に付加されて受信されるものであり、制御部２３の内蔵メモリに蓄積され、この番組の受信が終了するまで保持される。詳細ボタン４９が操作されると、この内蔵メモリから詳細情報が読み出され、リモコン３０に送信される。この詳細情報６３は、番組についての参考となる情報や宣伝のための情報，追加情報などであって、例えば、表示番組がドラマである場合には、その題名や出演者，荒筋などである。従って、ＴＶ画面１０ａの番組の詳細情報が欲しい場合には、図６（ｄ）で説明したように、主画面ボタン４２を操作してリモコン画面３０ａにＴＶ画面１０ａと同じ番組が表示されるようにして、しかる後、詳細ボタン４９を操作すればよい。勿論、ＴＶ画面１０ａの番組とは関係なく、リモコン画面３０ａで好みの番組の詳細情報６３を得るようにすることもできる。
【００５１】
図７（ａ）に示す表示状態で詳細ボタン４９を再度操作すると、リモコン画面３０ａでは、図７（ｂ）に示すように、もとの番組が表示された状態に戻る。
【００５２】
また、図７（ｂ）に示すようなリモコン画面３０ａで番組が表示された状態で蓄積データボタン４６を操作すると、図７（ｃ）に示すように、ＴＶ受像機１の記憶部２６の蓄積データの選択画面（蓄積データ選択画面）６４がリモコン画面３０ａに表示される。かかる蓄積データ選択画面６４は、ＴＶ受像機１において、制御部２３の制御のもとにＧＵＩ画像生成部２４ｂで生成される。この蓄積データ選択画面６４でのメニュー項目は記憶部２６に現在蓄積されているデータの種類に応じたものであり、制御部２３は、記憶部２６にデータを蓄積するとき、その蓄積データに関する情報を把握して保持している。これに基づいて蓄積データ選択画面６４が作成される。
【００５３】
ここでは、蓄積データ選択画面６４でのメニュー項目は、放送電波受信部２２の主受信系で受信した「録画番組」と「写真ムービー」と「音楽」と「カレンダ」としている。これらメニュー項目は、十字ボタン４３を操作することによって移動するポインタ６２により、選択することができる。
【００５４】
いま、メニュー項目「カレンダ」を選択し、決定ボタン４４を操作すると、図７（ｄ）に示すように、リモコン画面３０ａにカレンダ６５が表示される。このカレンダ６５には、該当する日にそのとき行なわれた運動会などの催しものを表わすようにすることができるし、例えば、番組を記憶部２６に録画した日を□マークで、記憶部２６に記憶した写真の撮影日を○マークで表わすようにする。これにより、このカレンダ６５を見て番組の録画日や写真の撮影日を確認することができ、これと催し物の情報などから、録画番組や写真の内容を認識することができる。
【００５５】
かかるカレンダ６５において、十字ボタン４３を操作してポインタ６２を移動させることにより、所望とする日を選択することができる。この選択をして図８（ａ）に示す選択状態とし、決定ボタン４４を操作すると、図８（ｂ）に示すように、選択日での記憶部２９の蓄積データの一覧画面６６が表示される。この例では、図８（ａ）に示すように、番組の録画と写真の撮影が行なわれた２００２年７月２０日が選択決定されたものであるから、この一覧画面６６では、写真に関する情報（写真データ。例えば、写真の枚数）や録画番組に関する情報（例えば、録画番組の題名など）が表示され、ポインタ６２によってこれらのいずれかを選択することができる。
【００５６】
そこで、十字ボタン４３の操作によってポインタ６２を写真データに合わせてこれを選択し、決定ボタン４４を操作すると、リモコン画面３０ａにこの選択された２００２年７月２０日に撮影した写真の一覧画面６７が表示され、ポインタ６２により、そのいずれか１つを選択することができる。
【００５７】
ところで、以上の図７（ａ）から図８（ｃ）までの状態では、ＴＶ画面１０ａは受信番組の表示状態にあり、リモコン画面３０ａが図８（ｃ）に示す一覧画面６７の表示状態になると、そこでのポインタ６２で選択されている写真がＴＶ画面１０ａで表示されるようになる。従って、十字ボタン４３を操作してポインタ６２による選択写真を順次変更していくと、ＴＶ画面１０ａで表示される写真も切り替わっていき、リモコン画面３０ａで小さく表示される一覧画面６７の写真が夫々ＴＶ画面１０ａで拡大して見ることができることになる。
【００５８】
なお、図８（ｂ）に示す蓄積データの一覧画面６６で録画番組を選択決定すると、選択された録画番組が記憶部２６から読み出され、ＴＶ画面１０ａに表示されることになる。
【００５９】
以上のように、この具体例は、リモコン３０にＧＵＩ機能を持たせるものであり、リモコン画面３０ａをもとにＧＵＩ機能を実行する操作モードを採ることができる。
【００６０】
この実施形態では、また、以上の蓄積データの読出しを主画面であるＴＶ画面１０ａをもとにリモコン３０の操作によっても行なうことができるようにしている。これは、主画面であるＴＶ画面１０ａを用いて行なう操作モードである。以下、これについて図９〜図１１により説明する。
【００６１】
いま、図９（ａ）に示すようなＴＶ画面１０ａでの番組表示状態で、メニューボタン４７を操作すると、このＴＶ受像機１の機能を選択するメニュー画面７０がＴＶ画面１０ａに表示される。このメニュー画面７０で表示される機能のメニューとしては、例えば、放送番組形態やそのチャンネルを選択するためのメニュー「選局」や記憶部２６の蓄積データを再生するためのメニュー「蓄積データ」，インターネットとの接続が可能である場合には、これを実行するための「インターネット」などがある。
【００６２】
このメニュー画面７０には、また、例えば、手の形をしたポインタ７１が表示されており、十字ボタン４３の操作によって移動させることにより、メニューのいずれかを選択することができる。そこで、いま、このポインタ７１によってメニュー「蓄積データ」を選択し、決定ボタン４４を操作すると、図９（ｃ）に示す蓄積データ選択画面７２がＴＶ画面１０ａに表示される。この蓄積データ選択画面７２は、図７（ｃ）で先に説明したリモコン画面３０ａでの蓄積データ選択画面６４と同様であり、「録画番組」と「写真ムービー」と「音楽」と「カレンダ」の項目を、十字ボタン４３を操作することによって移動するポインタ７１により、選択することができる。
【００６３】
この蓄積データ選択画面７２で、いま、項目「カレンダ」を選択したとすると、図１０（ａ）に示すように、ＴＶ画面１０ａにカレンダ７３が表示される。このカレンダ７３は、画面が大きいことから、通常のカレンダと同様の形式で表示することができ、このカレンダ７３にも、図７（ｄ）に示すカレンダ６５と同様のマークが付されて、録画があった日や写真の撮影があった日などが明確にわかるようにしている。希望する日をポインタ７４に選択することができる。これ以降の操作や表示については、図１０（ｂ）〜（ｄ）に示すように、図８に示したリモコン画面３０ａの場合と同様であり、これらには図８（ｂ），（ｃ）と同一符号を付して重複する説明を省略する。
【００６４】
図９および図１０に示すＴＶ画面１０ａでの夫々の画面表示において、戻るボタン４８を操作すると、１つ前の画面の表示状態に戻る。
【００６５】
また、図９（ｃ）に示す蓄積データ選択画面７２において、項目「録画番組」をポインタ７１で選択して決定ボタン４４を操作すると、図１１（ａ）に示すような録画番組リスト画面７５が表示され、そのうちの１つをポインタ（図示せず）で選択して決定ボタン４４を操作すると、図１１（ｂ）に示すように、選択された録画番組が記憶部２６から読み出されてＴＶ画面１０ａに表示される。
【００６６】
このようにして、ＴＶ受像機１の表示画面（ＴＶ画面１０ａ）を用いても、記憶部２６の蓄積データを再生表示させることができる。
【００６７】
図１２は図１の各部の回路構成のさらに他の具体例を示すブロック図であって、８０は姿勢センサ（もしくは、傾きセンサ）であり、図３に対応する部分には同一符号を付けている。
【００６８】
同図において、この具体例は、図３に示した具体例において、リモコン３０に姿勢センサ８０を追加したものである。この姿勢センサ８０は、リモコン３０の水平面に対する姿勢（即ち、傾き角θ）を検出するものであって、制御部３４は、この姿勢センサ８０の検出傾き角θを取得し、この検出傾き角θが予め設定された基準角度θＳよりも大きいか、小さいかに応じて、リモコン３０の制御、特に、ボタンスイッチ３７の一部の機能を異ならせるものである。
【００６９】
図１３は図１２におけるリモコン３０の構造の一具体例を示すものであって、同図（ａ）はその正面図、同図（ｂ）はその右側面図、同図（ｃ）はその縦断面図であり、図４及び図１２に対応する部分には同一符号を付けて重複する説明を省略する。
【００７０】
このリモコン３０のケース内には、図１３（ｃ）に示すように、姿勢センサ８０が収納されている。この姿勢センサ８０は、図１４に示すように、リモコン３０の縦軸の傾き角（以下、リモコン３０の傾き角）θを検出するものであるが、リモコン３０の制御部３４は、この傾き角θが、予め設定された基準角度θＳに対し、
θ≦θＳ
のとき、図９〜図１１で説明したように、リモコン３０にＴＶ受像機１のＴＶ画面１０ａでの操作を行なうための機能を持たせ、また、
θＳ＜θ
のときには、図５〜図８で説明したように、リモコン３０にそのリモコン画面３０ａでの操作を行なうための機能を持たせるものである。
【００７１】
即ち、図４に示したリモコン３０の具体例では、そこに設けられている子画面ボタン４５（図４（ａ））により、かかる機能の切り替えを行なうようにしたものであるが、図１３に示すリモコン３０の具体例では、姿勢センサ８０の検出結果を用いてかかる機能の切り替えを行なうようにしたものである。従って、図１３に示すリモコン３０では、図１３（ａ）に示すように、上記の子画面ボタン４５が省かれた構造をなしている。
【００７２】
ここで、この具体例でのＴＶ受像機１とリモコン３０の回路構成としては、図１２に示すように、リモコン３０からの指令信号は、その内部アンテナ３１からＴＶ受像機１の内部アンテナ１５に無線（即ち、電波）で送信するようにしている。この場合のリモコン３１の内部アンテナ３１としては、無指向性に特性のものを用い、リモコン３０がＴＶ受像機１の内部アンテナ１５の方向に対して傾いた状態にあっても、内部アンテナ１５，３１間の通信が良好にできるようにしている。
【００７３】
図１５は図１３に示すリモコン３０の使用態様を摸式的に示す図である。
【００７４】
図５〜図８で説明したようなリモコン画面３０ａでの操作を行なう場合には、図１５（ａ）に示すように、リモコン３０を基準角度θＳ（図１４）よりも立てた状態とする。かかる状態では、姿勢センサ８０の検出結果に応じた制御部３４の制御に基づいて、リモコン３０のリモコン画面３０ａが自動的に表示状態となり、リモコン３０のボタン操作によってそのリモコン画面３０ａでの操作が可能となる。この場合、上記のように、リモコン３０を立てた状態としても、ＴＶ受像機１とリモコン３０との無線通信が可能である。
【００７５】
また、図９〜図１１で説明したようなＴＶ受像機１のＴＶ画面１０ａでの操作を行なう場合には、図１５（ｂ）に示すように、リモコン３０を基準角度θＳよりも寝かせた状態とする。かかる状態では、姿勢センサ８０の検出結果に応じた制御部３４の制御に基づいて、リモコン画面３０ａは非表示状態に設定され、リモコン３０のボタン操作によってＴＶ画面１０ａでの操作が可能となる。
【００７６】
以上のように、この実施形態では、リモコン３０のボタン操作を要することなく、ＴＶ画面１０ａでの操作とリモコン画面３０ａでの操作とを切り替えることができ、操作の手順を少なくして操作性が向上する。
【００７７】
【発明の効果】
以上説明したように、本発明によると、リモコンに子画面を設け、ディスプレイ装置から送信される映像情報をこの子画面で表示可能とするものであるから、ディスプレイ装置の主画面に影響することなく、任意の画面を子画面に表示させることができ、しかも、ディスプレイ装置とリモコン以外の装置を付加することなく、２つの画面を見ることができる。
【００７８】
また、本発明によると、リモコンの簡単な操作でもって、子画面をもとにした操作モードと主画面をもとにした操作モードとを選択できるものてあるから、表示される情報内容や主画面での表示状況に応じて操作モードを選択でき、リモコンの操作性が向上する。
【００７９】
さらに、本発明によると、ディスプレイ装置での受信番組を子画面で表示させることができるから、チャンネル切替えに際し、切り替えるチャンネルの番組内容を、その切り替えを行なう前に、確認することができ、正確なタイミングでチャンネル切替えを行なうことができる。
【００８０】
さらに、本発明によると、ディスプレイ装置の記憶手段での蓄積データを子画面で表示できるものであるから、かかる蓄積データの内容を確認することができる。
【００８１】
また、本発明によると、蓄積データの呼出しをカレンダからたどっていけるので、所望のデータを検索し易くなる。
【図面の簡単な説明】
【図１】本発明による映像情報システムの一実施形態を示す概略構成図である。
【図２】図１の各部の回路構成の一具体例を示すブロック図である。
【図３】図１の各部の回路構成の他の具体例を示すブロック図である。
【図４】図１及び図２におけるリモコンの構造の一具体例を示す図である。
【図５】図２，図３に示す具体例での番組放送形態の選択操作，チャンネル選択操作とこれに伴う画面表示についての説明図である。
【図６】図５に続く選択操作とこれに伴う画面表示の説明図である。
【図７】図２，図３に示す具体例での機能選択操作とこれに伴う画面表示についての説明図である。
【図８】図７に続く機能選択操作とこれに伴う画面表示についての説明図である。
【図９】図２，図３に示す具体例でのＴＶ画面を用いた蓄積データの読出し操作とこれに伴う画面表示についての説明図である。
【図１０】図９に続く操作とこれに伴う画面表示についての説明図である。
【図１１】図９（ａ）に示す蓄積データ選択画面で項目「録画番組」を選択した後に続く操作とこれに伴う画面表示についての説明図である。
【図１２】図１の各部の回路構成のさらに他の具体例を示すブロック図である。
【図１３】図１２におけるリモコンの構造の一具体例を示す図である。
【図１４】図１３に示すリモコンの姿勢センサの役割を示す図である。
【図１５】図１３に示すリモコンの使用態様を摸式的に示す図である。
【符号の説明】
１　テレビジョン受像機（ＴＶ受像機）
１０　表示パネル
１１　表示部
１５　内部アンテナ
１６　赤外線受光部
１７　指令信号取得部
２０　ＡＶセンタ
２１　外部アンテナ
２２　放送電波受信部
２３　制御部
２４ａ　映像生成部
２４ｂ　ＧＵＩ画像生成部
２５　映像合成部
２６　記憶部
３０　リモコン
３０ａ　リモコン画面
３１　アンテナ
３２　映像受信部
３３　赤外線発光部
３３’　指令信号付加部
３４　制御部
３５　表示部
３７　ボタンスイッチ
４０　ＴＶ電源ボタン
４１　画面入替えボタン
４２　主画面ボタン
４３　十字ボタン
４４　決定ボタン
４５　子画面ボタン
４６　蓄積データボタン
４７　メニューボタン
４８　戻るボタン
４９　詳細ボタン
５０　音量調整ボタン
５１　チャンネル切替ボタン
５２　テンキー
５３　赤外線発光素子
６０　放送形態選択欄
６１　チャンネル表示欄
６２　ポインタ
６３　詳細情報
６４　蓄積データ選択画面
６５　カレンダ
６６　蓄積データの一覧画面
６７　写真の一覧画面
７０　メニュー画面
７１　ポインタ
７２　蓄積データ選択画面
７３　カレンダ
７４　ポインタ
７５　録画番組リスト画面
８０　姿勢センサ
【図１】
2004096361.tif 000003
【図２】
2004096361.tif 000004
【図３】
2004096361.tif 000005
【図４】
2004096361.tif 000006
【図５】
2004096361.tif 000007
【図６】
2004096361.tif 000008
【図７】
2004096361.tif 000009
【図８】
2004096361.tif 000010
【図９】
2004096361.tif 000011
【図１０】
2004096361.tif 000012
【図１１】
2004096361.tif 000013
【図１２】
2004096361.tif 000014
【図１３】
2004096361.tif 000015
【図１４】
2004096361.tif 000016
【図１５】
2004096361.tif 000017